(57)【要約】      （修正有）【課題】既設支柱に新設フェンスをワンタッチで確実に固定する構造を提供する。【解決手段】  ハット形鋼からなる、既設フェンスの支柱１と、新設フェンス本体１１の上胴縁１１Ａが固定される上部継手金具８との固定構造であって、上部継手金具８は、既設支柱１の頭部に嵌め込まれるキャップ９により既設支柱１の上部に固定され、上部継手金具８は、既設支柱１のリップの上部に形成された既設上部爪１Ａに引っ掛けられ、リップと接する部分に形成された開口８Ｂと、上胴縁１１Ａを固定する胴縁固定板８Ｃとを備え、キャップ９は、キャップ本体９Ａと、キャップ本体９Ａに設けられた、内側に突起９Ｃが形成された押え板９Ｂとを備え、押え板９Ｂは、キャップ９が既設支柱１の頭部に嵌め込まれる際、開口９Ｂ部分の上部継手金具８に被せられ、突起９Ｃは、押え板９Ｂの有する弾性力により開口９Ｂに嵌め込まれる。【選択図】  図１
2006225892.tif 000002
【特許請求の範囲】
【請求項１】
ハット形鋼からなる、既設フェンスの支柱と、新設フェンス本体の上胴縁が固定される上部継手金具との固定構造であって、前記上部継手金具は、前記既設支柱の頭部に嵌め込まれるキャップにより前記既設支柱の上部に固定され、前記上部継手金具は、前記既設支柱のリップの上部に形成された既設上部爪に引っ掛けられ、前記リップと接する部分に形成された開口と、前記新設フェンス本体の上胴縁を固定する胴縁固定板とを備え、前記キャップは、キャップ本体と、前記キャップ本体に設けられた、内側に突起が形成された押え板とを備え、前記押え板は、前記キャップが前記既設支柱の頭部に嵌め込まれる際、前記開口部分の前記上部継手金具に被せられ、前記突起は、前記押え板の有する弾性力により前記開口に嵌め込まれることを特徴とする、既設支柱と上部継手金具との固定構造。
【請求項２】
前記新設フェンス本体は、それぞれ胴縁を有するメッシュパネル、目隠しパネルまたは格子パネルであることを特徴とする、請求項１記載の、新設フェンス用フェンス本体上部の固定構造。
【発明の詳細な説明】
【技術分野】
【０００１】
この発明は、既設支柱と上部継手金具との固定構造、特に、ハット形鋼からなる既設フェンスの支柱をそのまま利用して、既設フェンスを新設フェンスに改装する際に、新設フェンス本体の上胴縁に固定される上部継手金具を、既設支柱にワンタッチで確実に固定することができる、既設支柱と上部継手金具との固定構造に関するものである。
【背景技術】
【０００２】
従来から広く構築されているフェンスとしてネットフェンスがある。このネットフェンスは、図７および図８に示すように、ハット形鋼からなる支柱１と、支柱１間に固定された、アングル鋼からなる上、下胴縁２（上胴縁のみ図示）と、上、下胴縁２間に取り付けられた菱形金網３とからなっている。上胴縁２は、ナックル加工された菱形金網３の上端部に挿通した鉄線４を、上胴縁２の垂直部に形成された爪２Ａに引っ掛けることによって菱形金網３の上端部に取り付けられている。下胴縁の菱形金網３への取り付けは、爪２Ａの向きが上下逆になっている点を除いて、上胴縁の場合と同様である。
【０００３】
上胴縁２の垂直部は、支柱１のリップの上部に形成された上部爪１Ａ内に挿入され、上胴縁２の水平部は、支柱１のウェブに挿通されたボルト５により固定金具６を介して固定されている。固定金具６は、上胴縁２の水平部が嵌め込まれる溝６Ａを有し、袋ナット７によって固定されている。下胴縁の支柱１への固定構造は、上部爪１Ａの向きが上下逆になっている点を除いて、上胴縁の場合と同様である。
【発明の開示】
【発明が解決しようとする課題】
【０００４】
このように構成されているネットフェンスは、年月が経過すると、支柱１に生じた錆、菱形金網３の破れや変形によって、美観が著しく損なわれ、場合によってはフェンスとしての機能が失われる場合もある。
【０００５】
このような欠陥を有するフェンスは、新規に構築し直すのが最良であるが、構築費用がかかるので、破損部分のみを新たな部材に取り替える改装が得策である。そこで、既設フェンスの支柱をそのまま利用して新設フェンスに改装する場合、既設支柱に継手金具を介して新設フェンス用フェンス本体を容易且つ確実に固定することが望まれている。
【０００６】
しかしながら、現在のところかかる要望を満足する、新設フェンス用フェンス本体上部の固定構造は、提案されていない。
【０００７】
一方で、菱形金網３を用いたネットフェンスに比べて美観が優れていることから人気が高まっているメッシュフェンスが近年、主流になりつつある。メッシュフェンスは、フェンス用パネルとして、上、下端部を種々の形状に折り曲げて胴縁を形成した鋼線材製縦桟に鋼線材製横桟を溶接により接合してフェンス用パネルを構成し、この後、このパネルに樹脂被覆を施したものである。
【０００８】
従って、この発明の目的は、ハット形鋼からなる既設フェンスの支柱をそのまま利用して、既設フェンスを新設フェンスに改装する際に、新設フェンス本体の上胴縁に固定される上部継手金具を、既設支柱にワンタッチで確実に固定することができる、既設支柱と上部継手金具との固定構造を提供することにある。
【課題を解決するための手段】
【０００９】
この発明は、上記目的を達成するためになされたものであって、下記を特徴とするものである。
【００１０】
請求項１記載の発明は、ハット形鋼からなる、既設フェンスの支柱と、新設フェンス本体の上胴縁が固定される上部継手金具との固定構造であって、前記上部継手金具は、前記既設支柱の頭部に嵌め込まれるキャップにより前記既設支柱の上部に固定され、前記上部継手金具は、前記既設支柱のリップの上部に形成された既設上部爪に引っ掛けられ、前記リップと接する部分に形成された開口と、前記新設フェンス本体の上胴縁を固定する胴縁固定板とを備え、前記キャップは、キャップ本体と、前記キャップ本体に設けられた、内側に突起が形成された押え板とを備え、前記押え板は、前記キャップが前記既設支柱の頭部に嵌め込まれる際、前記開口部分の前記上部継手金具に被せられ、前記突起は、前記押え板の有する弾性力により前記開口に嵌め込まれることに特徴を有するものである。
【００１１】
請求項２記載の発明は、請求項１記載の発明において、新設フェンス本体は、それぞれ胴縁を有するメッシュパネル、目隠しパネルまたは格子パネルであることに特徴を有するものである。
【発明の効果】
【００１２】
この発明によれば、ハット形鋼からなる既設フェンスの支柱をそのまま利用して、既設フェンスを新設フェンスに改装する際に、新設フェンス本体の上胴縁に固定される上部継手金具を、既設支柱にワンタッチで確実に固定することができる。
【発明を実施するための最良の形態】
【００１３】
この発明の、既設支柱と上部継手金具との固定構造の一実施態様を、図面を参照しながら説明する。
【００１４】
図１は、この発明の固定構造により既設支柱に固定された上部継手金具を示す斜視図、図２は、この発明の固定構造により上部継手金具が上部爪に仮置きされた既設支柱の頭部にキャップを嵌め込む状態を示す斜視図、図３は、既設支柱と下部継手金具との固定構造を示す斜視図、図４は、この発明の改装方法に使用するキャップを示す背面図、図５は、この発明の改装方法に使用するキャップを示す側面図、図６は、図４のＡ−Ａ線切断部端面図である。
【００１５】
図１および図２において、１は、ハット形鋼からなる既設ネットフェンスの支柱、８は、支柱１の上部に固定された上部継手金具、９は、上部継手金具８を支柱１に固定するキャップ、１１は、上部継手金具８および後述する下部継手金具１０を介して支柱１に固定された、リング状上胴縁１１Ａを有するメッシュパネルからなる新設フェンス本体である。
【００１６】
上部継手金具８は、上部爪１Ａに引っ掛けられる。上部爪１Ａは、既設ネットフェンスの上胴縁２（図７、図８参照）を引っ掛けるために、支柱１のリップの上部にもともと形成されているものであり、下から上に向って形成されている。上部継手金具８の中央下部には突出部８Ａが形成され、ここに上部爪１Ａに引っ掛けたときに、上部爪１Ａとの間に隙間があかないようになっている。上部継手金具８の中央部には、２つの開口８Ｂが形成され、両側には、新設フェンス本体１１の上胴縁１１Ａを固定する固定板８Ｃが形成され、固定板８Ｃには、新設フェンス本体固定用ボルト孔８Ｄが形成されている。そして、開口８Ｂ間には、上部継手金具固定用ボルト孔８Ｅが形成されている。
【００１７】
キャップ９は、金属あるいは樹脂製で、図４、図５および図６に示すように、キャップ本体９Ａと、キャップ本体９Ａの背面側下端に下方に伸びて形成された押え板９Ｂとからなっている。押え板９Ｂの内側には、下細りに形成された楔状の２つの第１突起９Ｃが形成されている。キャップ本体９Ａの正面側には、支柱１のウェブに形成されたボルト孔１Ｂ（図３、図６参照）に挿入される第２突起９Ｄ（図６参照）が形成されている。ボルト孔１Ｂは、既設ネットフェンスの上胴縁２を固定するためにもともと形成されている。上部継手金具８は、後述するように、キャップ９の第１突起９Ｃを上部継手金具８の開口８Ｂに嵌め込むと共に、キャップ９の第２突起９Ｄを支柱１のボルト孔１Ｂに嵌め込むことによって固定される。
【００１８】
図３に示すように、下部継手金具１０は、上部継手金具８と同一のものである。なお、下部継手金具１０の構成部材は、８Ａから８Ｅとして示す。下部継手金具１０は、既設ネットフェンスに形成された下部爪１Ｃに下部継手金具１０の突出部８Ａを引っ掛け、支柱１のボルト孔１Ｄと下部継手金具１０のボルト孔８Ｅとにボルト１２を挿通して固定される。下部爪１Ｃは、既設ネットフェンスの下胴縁を引っ掛けるために、支柱１のリップの下部にもともと形成されているものであり、上から下に向って形成されている。支柱１のボルト孔１Ｄは、既設ネットフェンスの下胴縁を固定するためにもともと形成されている。
【００１９】
このように構成されている、この発明の固定構造によれば、以下のようにして、既設支柱に上部継手金具が固定される。
【００２０】
先ず、支柱１がハット形鋼からなる既設フェンスの支柱１から、上、下胴縁２および菱形金網３（図７、図８参照）を取り外す。次いで、このようにして残した既設支柱１のリップの上部にもともと形成されている上部爪１Ａに上部継手金具８を引っ掛けて、上部継手金具８を仮置きする。次いで、キャップ９を支柱１の頭部に乗せ、キャップ９をゴムハンマー等で叩く。これによって、キャップ９の押え板９Ｂに形成された第１突起９Ｃは、上部継手金具８の外面上を滑り降り、開口８Ｂに至ると、押え板９Ｂの弾性力によって開口８Ｂ内に嵌まり込む。これにより、上部継手金具８が押え板９Ｂによって押えられて、上部継手金具８が支柱１に固定される。これと同時に、キャップ９の第２突起９Ｄが支柱１のボルト孔１Ｂに嵌まり込む。
【００２１】
このようにして、上部継手金具８が支柱１にワンタッチで固定される。第１突起９Ｃが嵌まり込んだ後は、第１突起９Ｃの上面が開口８Ｂの上面に当接するので、第２突起９Ｄがボルト孔１Ｂに嵌まり込むことと相俟って、キャップ９を引き抜き力が作用しても、キャップ９が外れることはない。
【００２２】
なお、下部継手金具１０を既設支柱に固定するには、下部継手金具１０を支柱１のリップの下部にもともと形成されている下部爪１Ｃに引っ掛ける。次いで、支柱１のボルト孔１Ｄと下部継手金具１０のボルト孔８Ｅとにボルト１２を挿通して、下部継手金具１０を支柱１に固定する。
【００２３】
このようにして、上部および下部継手金具８、１０の固定が完了したら、上部および下部継手金具８、１０の固定板８Ｃに、新設フェンス本体１１の胴縁１１Ａを、固定板８Ｃのボルト孔８Ｄにボルト１３を挿通し、当て板１４を介して固定する。かくして、既設ネットフェンスがメッシュフェンスに改装される。
【００２４】
以上の例は、新設フェンス本体が胴縁を有するメッシュパネルであるが、胴縁を有する目隠しパネル、または、胴縁を有する格子フェンスであっても良い。
【図面の簡単な説明】
【００２５】
【図１】この発明の固定構造により既設支柱に固定された上部継手金具を示す斜視図である。
【図２】この発明の固定構造により上部継手金具が上部爪に仮置きされた既設支柱の頭部にキャップを嵌め込む状態を示す斜視図である。
【図３】既設支柱と下部継手金具との固定構造を示す斜視図である。
【図４】この発明の改装方法に使用するキャップを示す背面図である。
【図５】この発明の改装方法に使用するキャップを示す側面図である。
【図６】図４のＡ−Ａ線切断部端面図である。
【図７】ネットフェンスを示す部分正面図である。
【図８】ネットフェンスを示す部分側面図である。
【符号の説明】
【００２６】
１：支柱
１Ａ：上部爪
１Ｂ：ボルト孔
１Ｃ：下部爪
１Ｄ：ボルト孔
２：胴縁
２Ａ：爪
３：菱形金網
４：鉄線
５：ボルト
６：固定金具
６Ａ：溝
７：袋ナット
８：上部継手金具
８Ａ：突出部
８Ｂ：開口
８Ｃ：固定板
８Ｄ：ボルト孔
８Ｅ：ボルト孔
９：キャップ
９Ａ：キャップ本体
９Ｂ：押え板
９Ｃ：第１突起
９Ｄ：第２突起
１０：下部継手金具
１１：新設パネル本体
１２：ボルト
１３：ボルト
１４：当て板
【図１】
2006225892.tif 000003
【図２】
2006225892.tif 000004
【図３】
2006225892.tif 000005
【図４】
2006225892.tif 000006
【図５】
2006225892.tif 000007
【図６】
2006225892.tif 000008
【図７】
2006225892.tif 000009
【図８】
2006225892.tif 000010